(57)【要約】【課題】電力源が得られにくい屋外等において冷涼な室内空間を実現する。【解決手段】床板と前後および左右の側壁と上壁とを有するコンテナと、前記コンテナの内部空間へ人が出入りするための少なくとも１つの出入口と、前記コンテナの内部空間にて少なくとも前記床板の表面に１段または複数段で敷き詰められた多数の保冷材パックと、前記床板の下面に取り付けられ前記コンテナを支持する複数の車輪とを有する。前記保冷材パックがさらに、前記コンテナの内部空間にて前記左右の側壁の少なくとも一方に沿って、他の箇所よりも高い箇所となる椅子状部分を形成するべく積層されている。敷き詰められたまたは積層された多数の前記保冷材パックの表面に取り付けられたカバー材を有する。【選択図】図１
2020190404.tif 000002
【特許請求の範囲】
【請求項１】
床板と前後および左右の側壁と上壁とを有するコンテナと、
前記コンテナの内部空間へ人が出入りするための少なくとも１つの出入口と、
前記コンテナの内部空間にて少なくとも前記床板の表面に１段または複数段で敷き詰められた多数の保冷材パックと、
前記床板の下面に取り付けられ前記コンテナを支持する複数の車輪とを有することを特徴とする可搬式冷涼室。
【請求項２】
前記保冷材パックがさらに、前記コンテナの内部空間において他の箇所よりも高い箇所となる椅子状部分を形成するべく積層されていることを特徴とする請求項１に記載の可搬式冷涼室。
【請求項３】
敷き詰められたまたは積層された多数の前記保冷材パックの表面を覆うカバー材を有することを特徴とする請求項１または２に記載の可搬式冷涼室。
【請求項４】
前記コンテナの内部空間が、仕切壁により複数の区画に分けられていることを特徴とする請求項１〜３のいずれかに記載の可搬式冷涼室。
【請求項５】
前記複数の区画のうち最も広い区画と前記出入口との間に少なくとも１つの区画が配置されていることを特徴とする請求項４に記載の可搬式冷涼室。
【請求項６】
前記床板、前記前後および左右の側壁、並びに前記上壁が断熱構造を有することを特徴とする請求項１〜４のいずれかに記載の可搬式冷涼室。
【請求項７】
前記コンテナの外面に取り付けられた１または複数の太陽電池パネルを含む太陽光発電システムを備えたことを特徴とする請求項１〜５のいずれかに記載の可搬式冷涼室。
【請求項８】
前記太陽光発電システムにより電力を供給されるエアコンを備えたことを特徴とする請求項７に記載の可搬式冷涼室。
【発明の詳細な説明】
【技術分野】
【０００１】
本発明は、冷涼な内部空間を備えた可搬式の冷涼室に関する。
【背景技術】
【０００２】
夏季など暑い季節の屋外イベント等において冷涼な環境で休憩したい場合、冷房設備の整った既存の建物または仮設の建物などに移動して涼を求めることがある。しかしながら、通常の冷房設備は当然に電力が必要であり、常にエネルギーを消費することとなる。
【０００３】
特許文献１には、夏季における冷房等で使用するエネルギー消費を低減するために、冬期に凍結した氷や雪を貯氷室にて夏季まで保存し、夏季には貯氷室から冷気を取り出して冷房等に利用するシステムが開示されている。
【０００４】
特許文献２には、冬期に水タンクを氷結させた自然氷を、断熱されたコンテナ内に収容し、夏季にコンテナを車両で運搬して多様な場所で冷熱源として利用する移動式氷室が開示されている。
【０００５】
特許文献３には、野菜等の生鮮品の輸送用コンテナを開示しており、開閉扉を有する断熱箱内に蓄冷材を配置した構成が開示されている。
【０００６】
特許文献４には、貯氷施設内の氷が融解したときに、再凍結させるための移動式製氷車が開示されている。
【先行技術文献】
【特許文献】
【０００７】
【特許文献１】特開平７−３０５８７３号公報
【特許文献２】特開２００９−１２７８９４号公報
【特許文献３】特開平４−１０２５７７号公報
【特許文献４】特開２０１５−３６６０２号公報
【発明の概要】
【発明が解決しようとする課題】
【０００８】
本発明の目的は、電力源が得られにくい屋外等において冷涼な室内空間を簡易に実現することを目的とする。
【課題を解決するための手段】
【０００９】
上述した課題を解決するために、本発明は以下の構成を有する。
・  本発明の態様は、可搬式冷涼室であって、床板と前後および左右の側壁と上壁とを有するコンテナと、
前記コンテナの内部空間へ人が出入りするための少なくとも１つの出入口と、
前記コンテナの内部空間にて少なくとも前記床板の表面に１段または複数段で敷き詰められた多数の保冷材パックと、
前記床板の下面に取り付けられ前記コンテナを支持する複数の車輪とを有することを特徴とする。
・  上記態様において、前記保冷材パックがさらに、前記コンテナの内部空間において他の箇所よりも高い箇所となる椅子状部分を形成するべく積層されていることが、好適である。
・  上記態様において、敷き詰められたまたは積層された多数の前記保冷材パックの表面を覆うカバー材を有することが、好適である。
・  上記態様において、前記コンテナの内部空間が、仕切壁により複数の区画に分けられていることが、好適である。
・  上記態様において、前記複数の区画のうち最も広い区画と前記出入口との間に少なくとも１つの区画が配置されていることが、好適である。
・  上記態様において、前記床板、前記前後および左右の側壁、並びに前記上壁が断熱構造を有することが、好適である。
・  上記態様において、前記コンテナの外面に取り付けられた１または複数の太陽電池パネルを含む太陽光発電システムを備えたことが、好適である。さらに、前記太陽光発電システムにより電力を供給されるエアコンを備えたことが、好適である。
【発明の効果】
【００１０】
電力源が得られにくい屋外等においても、冷涼な室内空間を簡易に設けることができる。
【図面の簡単な説明】
【００１１】
【図１】図１は、本発明の可搬式冷涼室の一実施例を概略的に示す外観斜視図である。
【図２】図２は、図１に示した可搬式冷涼室の内部空間の一実施例を概略的に示す展開斜視図である。
【図３】図３は、保冷材パックの一例を示す斜視図である。
【図４】図４は、図１に示した可搬式冷涼室の内部空間の別の実施例を概略的に示す展開斜視図である。
【図５】図５は、図１に示した可搬式冷涼室をトレーラーで運搬する状況を示した側面図である。
【図６】図６は、本発明の可搬式冷涼室の別の実施例を概略的に示す外観斜視図である。
【図７】図７は、図６に示した太陽光発電パネルの角度を変更した状態を示す図である。
【図８】図８は、図６の可搬式冷涼室の概略平面図である。
【発明を実施するための形態】
【００１２】
以下、図面を参考しつつ、本発明による可搬式冷涼室について詳細に説明する。本発明の可搬式冷涼室は、暑い季節等において、屋外における所望する場所に冷涼な室内空間を簡易に設けるためのものである。例えば盛夏における、歩行者天国、祭り、屋外スポーツ等の屋外イベントにおいて休憩室等として利用することができる。
【００１３】
図１は、本発明の可搬式冷涼室の一実施例を概略的に示す外観斜視図である。図２は、図１に示した可搬式冷涼室の内部空間の一実施例を概略的に示す展開斜視図である。図３は、保冷材パックの一例を示す斜視図である。
【００１４】
可搬式冷涼室１は、床板２ｆと、前後の側壁２ｄ、２ｅと、左右の側壁２ｂ、２ｃと、上壁２ａとを有する略直方体形状の筐体であるコンテナ２を備えている。図１のコンテナ２では、上壁２ａと左右の側壁２ｂ、２ｃとの境界に丸みが形成されているが、これは一例である。ここでは略直方体形状の長手方向を前後方向とする。一例として、コンテナ２の上面と左右側面から突出する帯状の複数のリブ２ｇが、長手方向に等間隔で設けられている。リブ２ｇは、コンテナ２の強度を確保すると共に、外部空間の熱がコンテナ２に蓄積されないように放熱板の役割を果たす。
【００１５】
コンテナ２の床板２ｆおよび各壁２ａ、２ｂ、２ｃ、２ｄ、２ｅは、その全体または部分的に、断熱性を有する断熱構造とすることが好適である。例えば、内面上若しくは外面上または二重構造とした壁内に、グラスウールやウレタンフォーム等の断熱材を設けることで断熱性を高めることができる。
【００１６】
本発明は、コンテナ２の内部空間３を冷涼な空間とすることによって休憩室や喫茶室等として利用する。そのために、コンテナ２は、その内部空間３に人が出入りするための出入口を少なくとも１つ有する。図１では、前壁２ｄに設けた引き戸２ｈが通常の出入口である。図１の例では、後壁２ｅにも開き戸２ｉが設けられており、例えば内部空間３への設備の搬入／搬出等に用いることができる。基本的には、出入口を除いてコンテナ２の内部空間３は外部空間に対して遮蔽されている。しかしながら、内部の冷涼環境に大きな影響を及ぼさない程度の通気孔等を設けてもよい。また、断熱性を確保できる程度であれば、窓を設けてもよい。
【００１７】
コンテナ２は、床板２ｆの下面に取り付けられた複数の車輪５により支持される。複数の車輪５は、コンテナ２の全体重量を支えると共に、必要に応じて可搬式冷涼室１を移動させる際に転動することができる。例えば、コンテナ２の床板２ｆの後部に取り付けられた手押しハンドル６を押すことにより、コンテナ２を手動で移動させることが可能である。図１の手押しハンドル６は概略的に示しており、具体的には多様な形状および数とすることができる。また、手押しハンドル６は、必要なときに床板２ｆの下から引き出され、不要のときは床板２ｆの下に収容できることが、好適である。
【００１８】
可搬式冷涼室１を所定の場所に移動し、静止させた後、適宜の車止め部材（図示せず）を配置することによって車輪５が移動しないようにしてもよい。また、可搬式冷涼室１を所定の場所に設置した後、地上から引き戸２ｈの高さまで上がるための階段７が設置される。
【００１９】
次に、図２を参照してコンテナ２の内部空間３の構成について説明する。内部空間３では、床板２ｆの表面に多数の保冷材パック４が敷き詰められている。少なくとも床板２ｆの表面の全体またはほぼ全体が保冷材パック４で覆われることが好適である。図２の例では、保冷材パック４は、２段重ねで床板２ｆの表面全体に敷き詰められている。なお、保冷材パック４は、必要に応じて１段のみとしたり、複数段重ねることができる。
【００２０】
図示しないが、保冷材パック４は、左右の側壁２ｂ、２ｃおよび／または上壁２ａの内面に貼り付け固定することもできる。
【００２１】
図３（ａ）（ｂ）は、保冷材パック４の例を示す斜視図である。図３（ａ）に示す保冷材パック４は、ここでは略直方体形状の硬質プラスチック製の密閉容器内に、不凍液等の交換不要の保冷材を充填したものである。図３（ｂ）に示す保冷材パック４は、同様の密閉容器であるが、水または水を含む混合物を保冷材として用いる場合に好適であり、保冷材交換するためのキャップ付き給排水口４ａを有する。保冷材パック４の形状は、図示のものに限定されないが、縦横上下に隙間無く充填できる形状が好適である。例えば、平面視の形状が三角形、六角形、その他の多角形でもよい。形や大きさの異なる保冷材パック４を組合せて用いてもよい。
【００２２】
図３の形状の場合、例えば縦横の長さ数十ｃｍ程度、高さ数ｃｍ〜十数ｃｍ程度とすることができるが、これに限られない。充填される保冷材は、エチレングリコール、グリセリン等の不凍液、水、またはこれらの混合物のいずれでもよい。保冷材パック４は、可搬式冷涼室１の使用前に予め所定の温度に冷却されることにより、冷熱源として利用することができる。
【００２３】
保冷材パック４は、コンテナ２の外部で、冷凍庫等により予め冷却した後にコンテナ２に搬入することができる。あるいは、冷却せずにコンテナ２に搬入し配置した後に、例えば特許文献４の移動式製氷車等を用いて内部空間３を冷却することにより保冷材パック４を冷却してもよい。保冷材パック４の数、コンテナ２の構造／大きさ、コンテナ２の開閉頻度、および外気温等の条件により異なるが、数十時間〜数日間、内部空間３を冷涼な環境に維持することが可能である。
【００２４】
また、保冷材パック４の冷却効果が失われたときは、再度、保冷材パック４を冷却することで繰り返し利用することができる。再冷却する場合も、保冷材パック４をコンテナ２から搬出して外部で冷却してもよいし、保冷材パック４をコンテナ２内に配置したままで内部空間３を冷却してもよい。例えば特許文献４の移動式製氷車は、保冷材パック４の再冷却にも用いることができる。
【００２５】
図２に示すように、内部空間３は、適宜の仕切壁３ｅにより複数の区画に分けることができる。図２では一例として、最も広い区画３ａ、前室３ｂ、および作業室３ｃが設けられている。仕切壁３ｅには、必要に応じて、ドア３ｄ、開口部、カウンタ台３ｆ等を設けることができる。前室３ｂは、最も広い区画３ａと出入口２ｈとの間に設けられている。前室３ｂは、高い外気温と、区画３ａの低い気温との間の緩衝室としての役割を果たしている。
【００２６】
最も広い区画３ａが、実際に休憩室や喫茶室等として用いられる。一例として、左右の側壁２ｂ、２ｃに沿って椅子状部分が形成されている。この例は長椅子の形態である。これらの椅子状部分は、保冷材パック４を、他の箇所よりも高く積層することにより形成されている。椅子状部分を形成することで、冷熱源としての保冷材パック４の量が増すことによって冷却効果が大きくなる。また、椅子状部分の上に座る人が、直接的に冷たさを感じることができる。なお、図示の椅子状部分の配置、大きさ、および高さは一例である。椅子状部分は、左右の側壁２ｂ、２ｃの一方のみに設けてもよく、また、左右の側壁２ｂ、２ｃに接触しないように、例えば区画３ａの中央部分に設けてもよい。
【００２７】
作業室３ｃは、喫茶等の準備をするために利用することができる。また、照明や調理等に必要なバッテリを配置することもできる。
【００２８】
図４は、図１に示した可搬式冷涼室１の内部空間３の別の実施例を概略的に示す展開斜視図である。図４では、床板２ｆに敷き詰められた保冷材パック４の表面、および椅子状部分の表面および側面を覆うようにカバー材８が載置され、または、貼り付けられている。カバー材８は、薄板またはシートであり、例えば木製、プラスチック製、布製、等とすることができる。椅子状部分の表面のカバー材８にはクッション材を含めてもよい。カバー材８を設置することにより、多数の保冷材パック４の表面が均一となるので、歩きやすくかつ座りやすくなる。また、外観上も美しくなる。
【００２９】
さらに、左右の椅子状部分の間にテーブル９を配置することもできる。別の例として、テーブル９の上面、下面、および、二重構造としてその間に保冷材パック４を配置することができる。
【００３０】
図５は、図１に示した可搬式冷涼室１をトレーラーで運搬する状況を示した側面図である。可搬式冷涼室１は、それ自体は移動のための駆動装置を備えていない。したがって、可搬式冷涼室１を目的とする場所に設置するには、次のように行う。図５に示すように、スロープ１０ｂを用いて可搬式冷涼室１を荷台１０ａに載せ、連結部１０ｃをトレーラーヘッドと連結し、トレーラーヘッドを走行させて目的の場所またはその近くまで運搬する。荷台１０ａから可搬式冷涼室１を降ろした後、図１に示す手押しハンドル６を用いて可搬式冷涼室１を押して目的の場所まで移動し、設置する。
【００３１】
可搬式冷涼室１は、休憩室または喫茶室としてだけでなく、種々の物品の販売、展示等の場所としても利用できる。
【００３２】
図６は、本発明の可搬式冷涼室の別の実施例を概略的に示す外観斜視図である。本実施例については、主として上述した実施例とは異なる点を説明し、共通する部分は説明を省略する。
【００３３】
図６に示す可搬式冷涼室には、太陽光発電システムが設置されている。太陽光発電システムは１又は複数の太陽電池パネル１０を有する。太陽電池パネル１０は、コンテナ２の外面に取り付けられる。図示の例では、コンテナ２の上壁の上に６枚の太陽電池パネル１０が配置され、一方の側壁に３枚の太陽電池パネル１０が配置されている。この場合、太陽電池パネル１０が配置された方の側壁が太陽の方に向くように可搬式冷涼室１を設置する。なお、太陽電池パネル１０の数および配置は適宜、設定することができる。
【００３４】
図７は、図６に示した太陽電池パネル１０の角度を変更した状態を示す図である。図７に示すように、各太陽電池パネル１０は水平面に対するパネル面の角度を変更可能とすることが好ましい。例えば、太陽電池パネル１０を所定の軸に回動可能に取り付けることにより角度を変更することができる。これにより、各太陽電池パネル１０を太陽の方に向かせることで発電量を高めることができる。
【００３５】
図８は、図６の可搬式冷涼室の概略平面図である。コンテナ２の外面の適宜の箇所に、蓄電池１１が設置される。蓄電池１１は、太陽電池パネル１０が発電した電力を蓄積することができ、そして負荷装置に電力を供給することができる。負荷装置は、好適にはエアコンである。特に、小型の家庭用エアコンがさらに好適である。エアコンの室外機１２は、コンテナ２の外面の適宜の箇所に設置され、室内機１３は、コンテナ２の内部空間の適宜の壁等に設置される。
【００３６】
太陽光発電システムにより得られる電力でエアコンを稼動させることにより、コンテナ２の内部空間の温度上昇を抑制することができる。例えば、利用者が出入りすると高温の外気が侵入して内部空間の温度が上昇し易い。エアコンを稼動させることにより内部空間を冷涼状態を維持することで、保冷材の冷却状態をさらに長時間維持することが可能となる。
【００３７】
コンテナ２内に配置される保冷材パックは、例えば寒冷地の冬期における低温を利用して凍結させてそのまま保存していたものを用いることが省エネルギーであり、好適である。加えて、自然エネルギーを利用する太陽光発電システムを組み合わせることで、さらに省エネルギーを実現することができる。
【００３８】
以上に述べた本発明の実施形態は一例を示したものであり、これら以外にも種々の公知技術を適用した多様な変形形態が可能であり、それらについても本発明に含まれるものとする。
【符号の説明】
【００３９】
１  可搬式冷涼室
２  コンテナ
２ａ  上壁
２ｂ、２ｃ  側壁
２ｄ  前壁
２ｅ  後壁
２ｆ  床板
２ｇ  リブ
２ｈ  引き戸
２ｉ  開き戸
３  内部空間
３ａ  最も広い区画
３ｂ  前室
３ｃ  作業室
３ｄ  ドア
３ｅ  仕切壁
３ｆ  カウンタ台
４  保冷材パック
５  車輪
６  手押しハンドル
７  階段
８  カバー材
９  テーブル
１０  太陽電池パネル
１１  蓄電池
１２  エアコン室外機
１３  エアコン室内機
【図１】
2020190404.tif 000003
【図２】
2020190404.tif 000004
【図３】
2020190404.tif 000005
【図４】
2020190404.tif 000006
【図５】
2020190404.tif 000007
【図６】
2020190404.tif 000008
【図７】
2020190404.tif 000009
【図８】
2020190404.tif 000010